(57)【要約】【課題】タッチパネルを用いて迅速に文字入力を行うことを可能にする。【解決手段】筐体と、筐体に表面が露出して配置され、表面に対して行われた動作を検出するタッチパネルと、キーボードを構成する複数のキーをタッチパネル上の第１領域のそれぞれに割り当て、第１領域の第１の位置で接触が開始され、第２の位置に接触が移動する接触が前記タッチパネルによって検出された場合に、第２の位置に対応する複数のキーを拡大した拡大画像を前記タッチパネル上の第１領域とは異なる第２領域に表示させる制御部と、を備える。【選択図】図４
2012208614.tif 000002
【特許請求の範囲】
【請求項１】
筐体と、
前記筐体に表面が露出して配置され、前記表面に対して行われた動作を検出するタッチパネルと、
キーボードを構成する複数のキーを前記タッチパネル上の第１領域のそれぞれに割り当て、
前記第１領域の第１の位置で接触が開始され、第２の位置に接触が移動する接触が前記タッチパネルによって検出された場合に、前記第２の位置に対応する複数のキーを拡大した拡大画像を前記タッチパネル上の第１領域とは異なる第２領域に表示させる制御部と、を備えることを特徴とする携帯電子機器。
【請求項２】
前記拡大画像は、前記第２の位置に割り当てられた特定キーと当該特定キーの周囲のキーとの画像であることを特徴とする請求項１に記載の携帯電子機器。
【請求項３】
前記制御部は、前記拡大画像に、前記第２の位置で接触している前記キーボード上での位置を示すマークを表示させることを特徴とする請求項１または２に記載の携帯電子機器。
【請求項４】
前記制御部は、前記第２の位置の移動に基づいて、前記マークの位置を移動させることを特徴とする請求項１から３のいずれか一項に記載の携帯電子機器。
【請求項５】
前記制御部は、前記第２の位置の移動に基づいて、前記拡大画像に表示させるキーの画像を移動させることを特徴とする請求項１から３のいずれか一項に記載の携帯電子機器。
【請求項６】
前記制御部は、前記第２の位置で接触が終了したことを前記タッチパネルで検出したら、当該第２の位置に割り当てられた特定キーを入力文字として検出することを特徴とする請求項１から５のいずれか一項に記載の携帯電子機器。
【請求項７】
前記制御部は、前記第１領域に前記キーボードの配列が識別可能な画像を表示させることを特徴とする請求項１から６のいずれか一項に記載の携帯電子機器。
【請求項８】
前記キーボードの配列が識別可能な画像は、各キーの位置の位置に点を表示する画像であることを特徴とする請求項７に記載の携帯電子機器。
【請求項９】
前記キーボードの配列が識別可能な画像は、各キーを半透明で表示する画像であることを特徴とする請求項７に記載の携帯電子機器。
【発明の詳細な説明】
【技術分野】
【０００１】
本発明は、文字入力機能を備える携帯電子機器に関する。
【背景技術】
【０００２】
近年、直感的な操作を可能にするとともに、キーボードのように物理的に大きな面積を必要とするデバイスを具備しない入力装置として、タッチパネルを用いる装置がある（特許文献１参照）。タッチパネルを用いることで、装置を小型化することができる。
【先行技術文献】
【特許文献】
【０００３】
【特許文献１】特開２００２−１４０１４１号公報
【発明の概要】
【発明が解決しようとする課題】
【０００４】
ここで、表示画面にキーボードを表示して文字入力を行う携帯電子機器では、表示画面の大きさによって表示できるキーボードの大きさが決まる。このため、表示画面が小さいとキーボードの１つ１つのキーが小さくなる。このため、指で複数のキーが隠れてしまいどのキーを押しているかを認識することが困難となり、誤入力が生じやすくなる。また、キーの認識が困難であるため、文字入力に時間がかかることもある。
【０００５】
本発明は、上記に鑑みてなされたものであって、タッチパネルを用いて迅速に文字入力を行うことを可能にする携帯電子機器を提供することを目的とする。
【課題を解決するための手段】
【０００６】
本発明に係る携帯電子機器は、筐体と、前記筐体に表面が露出して配置され、前記表面に対して行われた動作を検出するタッチパネルと、キーボードを構成する複数のキーを前記タッチパネル上の第１領域のそれぞれに割り当て、前記第１領域の第１の位置で接触が開始され、第２の位置に接触が移動する接触が前記タッチパネルによって検出された場合に、前記第２の位置に対応する複数のキーを拡大した拡大画像を前記タッチパネル上の第１領域とは異なる第２領域に表示させる制御部と、を備えることを特徴とする。
【０００７】
ここで、前記拡大画像は、前記第２の位置に割り当てられた特定キーと当該特定キーの周囲のキーとの画像であることが好ましい。
【０００８】
また、前記制御部は、前記拡大画像に、前記第２の位置で接触している前記キーボード上での位置を示すマークを表示させることが好ましい。
【０００９】
また、前記制御部は、前記第２の位置の移動に基づいて、前記マークの位置を移動させることが好ましい。
【００１０】
また、前記制御部は、前記第２の位置の移動に基づいて、前記拡大画像に表示させるキーの画像を移動させることが好ましい。
【００１１】
また、前記制御部は、前記第２の位置で接触が終了したことを前記タッチパネルで検出したら、当該第２の位置に割り当てられた特定キーを入力文字として検出することが好ましい。
【００１２】
また、前記制御部は、前記第１領域に前記キーボードの配列が識別可能な画像を表示させることが好ましい。
【００１３】
また、前記キーボードの配列が識別可能な画像は、各キーの位置の位置に点を表示する画像であることが好ましい。
【００１４】
また、前記キーボードの配列が識別可能な画像は、各キーを半透明で表示する画像であることが好ましい。
【発明の効果】
【００１５】
本発明に係る携帯電子機器は、タッチパネル上で迅速に文字入力を行うことを可能にするという効果を奏する。
【図面の簡単な説明】
【００１６】
【図１】図１は、携帯電話端末の外観を示す正面図である。
【図２】図２は、タッチパネル上に対応付けられる仮想キーボードを示す図である。
【図３】図３は、文字入力の操作例を示す図である。
【図４】図４は、文字入力の操作例を示す図である。
【図５】図５は、携帯電話端末の機能の概略構成を示すブロック図である。
【図６】図６は、仮想キーボードデータの一例を示す図である。
【図７】図７は、文字入力処理の処理手順を示すフロー図である。
【図８】図８は、文字入力の他の操作例を示す図である。
【図９】図９は、文字入力の他の操作例を示す図である。
【発明を実施するための形態】
【００１７】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話端末を例として説明するが、本発明の適用対象は携帯電話端末に限定されるものではなく、タッチパネルを備える各種装置、例えば、ＰＨＳ（Ｐｅｒｓｏｎａｌ  Ｈａｎｄｙｐｈｏｎｅ  Ｓｙｓｔｅｍ）、ＰＤＡ、ポータブルナビゲーション装置、パーソナルコンピュータ、ゲーム機等に対しても本発明は適用できる。
【００１８】
（実施形態）
図１は、本発明の携帯電子機器の一実施形態である携帯電話端末１の外観を示す正面図である。図２は、タッチパネル上に対応付けられる仮想キーボードを示す図である。携帯電話端末１は、タッチパネル２と、ボタン３Ａ、ボタン３Ｂおよびボタン３Ｃからなる入力部３を備える。タッチパネル２は、文字、図形、画像等を表示するとともに、指、スタイラス、ペン等（以下、単に「指」という）を用いてタッチパネル２に対して行われる各種動作を検出する。入力部３は、いずれかのボタンが押下された場合に、押下されたボタンに対応する機能を起動させる。
【００１９】
携帯電話端末１は、利用者から文字の入力を受け付けるために、図２に示すように、タッチパネル２上の第１領域４に仮想キーボードを対応付ける。仮想キーボードは、物理的なキーボードのキーを模した複数の仮想的なキーで構成される。なお、図２では説明のために仮想キーボードを図示したが、タッチパネル２には仮想キーボードは表示せず、第１領域４の各領域に仮想キーボードの各キーを割り当てている。つまり、携帯電話端末１は、タッチパネル２の第１領域４に画像としての仮想キーボードは表示させない。
【００２０】
図３および図４は、それぞれ文字入力の操作例を示す図である。携帯電話端末１は、文字入力機能が起動されると、文字入力用の画面を表示させ、第１領域４に仮想キーボードを対応付ける。利用者は、タッチパネル２の第１領域４の各キーが割り当てられている領域をタッチしドラッグする操作、つまり、第１の位置で接触が開始し、第２の位置に接触を移動させ、その後第２の位置で接触を終了する（指を離す）操作を入力することで文字を入力する。なお、図３に示す携帯電話端末１のタッチパネル２は、「いつもお世話になっております。」という文字列が入力された状態を示している。
【００２１】
図３に示すように、利用者が指Ｆで第１領域４に接触すると、携帯電話端末１は、タッチパネル２で指Ｆの接触を第１の位置への接触として検出する。その後、利用者が指Ｆを接触させたまま接触位置を移動させると、携帯電話端末１は、タッチパネル２で接触位置が移動した指Ｆの接触を第２の位置への接触として検出する。携帯電話端末１は、タッチパネル２で第２の位置への接触を検出した場合、図４に示すように、第２の位置に対応付けられた仮想キーボードのキーと当該キーの周囲のキーとの画像、つまり第２の位置を中心とした一定範囲の仮想キーボードの画像を、拡大した拡大画像（拡大キーボード）を第１領域４とは異なる第２領域３０に表示させる。図４では、第２の位置に仮想キーボードの「Ｙ」のキーが割り当てられている。より具体的には第２の位置は「Ｙ」のキーが割り当てられている領域のうち中央よりも左側となる。また、仮想キーボードの第２の位置を中心とした「Ｙ」のキーの周囲に「５」、「６」、「７」、「Ｔ」、「Ｕ」、「Ｆ」、「Ｇ」、「Ｈ」が配置されている。携帯電話端末１は、この第２の位置を中心とした一定範囲内にある複数のキー、「Ｙ」、「５」、「６」、「７」、「Ｔ」、「Ｕ」、「Ｆ」、「Ｇ」、「Ｈ」を仮想キーボードの配列と同じ配列で第２領域３０に表示させる。また、第２領域３０に表示させる各キーの画像は、第１領域４に割り当てた領域よりも大きい画像、つまり第１領域４に対応付けた仮想キーボードの一部を拡大した画像となる。また、携帯電話端末１は、第２領域３０の画像に、第２の位置に対応する位置を示すマーク３２を表示させる。つまり、携帯電話端末１は、「Ｙ」のキーが割り当てられている領域のうち中央よりも左側となる第２の位置に対応した位置、つまり、第２領域の画像のうち「Ｙ」のキーが表示されている領域のうち中央よりも左側となる位置にマーク３２を表示させる。
【００２２】
このように、携帯電話端末１は、指Ｆが接触している位置を中心とした一定領域のキーを拡大した画像を第１領域４とは異なる第２領域３０に表示させることで、指が接触しているキーを明確に理解することができる。これにより、利用者は、現在触っているキーがどのキーであるかを正確に知ることができ、誤入力の発生を抑制できる。また、当該キーの周囲にどのようなキーが配置されているのかを認識することができるため、所望のキーが指に隠れている場合でも迅速に見つけることができる。これにより、タッチパネル上で迅速に文字入力を行うことができる。
【００２３】
次に、携帯電話端末１の機能と制御部との関係を説明する。図５は、図１に示す携帯電話端末１の機能の概略構成を示すブロック図である。図５に示すように携帯電話端末１は、タッチパネル２と、入力部３と、電源部５と、通信部６と、スピーカ７と、マイク８と、記憶部９と、主制御部１０と、ＲＡＭ（Random  Access  Memory）１１とを有する。
【００２４】
タッチパネル２は、表示部２Ｂと、表示部２Ｂに重畳されたタッチセンサ２Ａとを有する。タッチセンサ２Ａは、指を用いてタッチパネル２に対して行われた各種動作を、動作が行われた場所のタッチパネル２上での位置とともに検出する。タッチセンサ２Ａによって検出される動作には、指をタッチパネル２の表面に接触させる動作や、指をタッチパネル２の表面に接触させたまま移動させる動作や、指をタッチパネル２の表面から離す動作が含まれる。なお、タッチセンサ２Ａは、感圧式、静電式等のいずれの検出方式を採用していてもよい。表示部２Ｂは、例えば、液晶ディスプレイ（ＬＣＤ、Liquid  Crystal  Display）や、有機ＥＬ（Organic  Electro−Luminescence）パネルなどで構成され、文字、図形、画像等を表示する。
【００２５】
入力部３は、物理的なボタン等を通じて利用者の操作を受け付け、受け付けた操作に対応する信号を主制御部１０へ送信する。電源部５は、蓄電池または外部電源から得られる電力を、主制御部１０を含む携帯電話端末１の各機能部へ供給する。通信部６は、基地局によって割り当てられるチャネルを介し、基地局との間でＣＤＭＡ方式などによる無線信号回線を確立し、基地局との間で電話通信及び情報通信を行う。スピーカ７は、電話通信における相手側の音声や着信音等を出力する。マイク８は、利用者等の音声を電気的な信号へ変換する。
【００２６】
記憶部９は、例えば、不揮発性メモリや磁気記憶装置であり、主制御部１０での処理に利用されるプログラムやデータを保存する。具体的には、記憶部９は、メールの送受信や閲覧のためのメールプログラム９Ａや、ＷＥＢページの閲覧のためのブラウザプログラム９Ｂや、上述した文字入力を受け付けるための文字編集プログラム９Ｃや、文字入力時にタッチパネル２に表示される仮想キーボードに関する定義を含む仮想キーボードデータ９Ｄや、正当な文字列が登録された辞書データ９Ｅを記憶する。記憶部９には、携帯電話端末１の基本的な機能を実現するオペレーティングシステムプログラムや、氏名、電話番号、メールアドレス等が登録されたアドレス帳データ等の他のプログラムやデータも記憶される。
【００２７】
主制御部１０は、例えば、ＣＰＵ（Central  Processing  Unit）であり、携帯電話端末１の動作を統括的に制御する。具体的には、主制御部１０は、記憶部９に記憶されているデータを必要に応じて参照しつつ、記憶部９に記憶されているプログラムを実行して、タッチパネル２、通信部６等を制御することによって各種処理を実行する。主制御部１０は、記憶部９に記憶されているプログラムや、処理を実行することによって取得／生成／加工されたデータを、一時的な記憶領域を提供するＲＡＭ１１に必要に応じて展開する。なお、主制御部１０が実行するプログラムや参照するデータは、通信部６による無線通信でサーバ装置からダウンロードすることとしてもよい。
【００２８】
ここで、記憶部９が記憶する仮想キーボードデータ９Ｄの一例を図６に示す。図６の例に示すように、仮想キーボードデータ９Ｄには、仮想キーボードに含まれるボタン毎に、ボタンに対応する文字、ボタンの位置（例えば、左上座標）、幅、高さ等が登録される。図６に示す例では、あるボタンに対応する文字が「Ｑ」であり、そのボタンの左上座標がＸ＝１０、Ｙ＝１０であり、そのボタンの幅と高さが２０と４０であること等が登録されている。
【００２９】
次に、携帯電話端末１が文字の入力を受け付ける場合の動作について説明する。図７は、文字入力処理の処理手順を示すフロー図である。図１０に示す文字入力処理は、主制御部１０が記憶部９から文字編集プログラム９Ｃを読み出して実行することにより実現され、仮想キーボードがタッチパネル２の第１領域４に対応付けられている間、繰り返し実行される。なお、仮想キーボードは、主制御部１０が文字編集プログラム９Ｃまたは他のプログラムを実行することにより、タッチパネル２の第１領域に対応付けられる。
【００３０】
まず、主制御部１０は、タッチパネル２上にキーボードを割り当てる。つまり、タッチパネル２の第１領域４に仮想キーボードを割り当てる。主制御部１０は、第１領域４に仮想キーボードを割り当てたら、ステップＳ１４として、画面にタッチされ更にドラッグされたかを判定する。つまり、主制御部１０は、指が接触した後、接触した状態を維持して接触位置が移動する操作をタッチパネル２で検出したかを判定する。主制御部１０は、ステップＳ１４で当該操作を検出していない（Ｎｏ）と判定したら、ステップＳ１４に進む。つまり、主制御部１０は、ステップＳ１４で当該操作を検出するまでステップＳ１４の判定を繰り返す。
【００３１】
主制御部１０は、ステップＳ１４で当該操作を検出した（Ｙｅｓ）と判定したら、ステップＳ１６として、タッチされているタッチパネル上の座標を計算する。つまり、主制御部１０は、第２の位置の座標を算出する。主制御部１０は、ステップＳ１６で座標を計算したら、ステップＳ１８として、タッチ位置を中心とした拡大キーボード（キーボードの一部を拡大した画像）を所定位置に表示させる。つまり、第２の位置に割り当てられたキーと当該キーの周囲のキーとを拡大した画像を第２領域３０に表示させる。また、主制御部１０は、仮想キーボード上における第２の位置を示すマーク３２も第２領域３０に表示する。
【００３２】
主制御部１０は、ステップＳ１８で拡大キーボードを所定位置に表示させたら、ステップＳ２０として、タッチが継続しているかを判定する。つまり、主制御部１０は、タッチパネル２で継続して接触を検出しているかを判定する。主制御部１０は、ステップＳ２０でタッチが継続している（Ｙｅｓ）と判定したら、ステップＳ１６に進む。主制御部１０は、タッチパネル２へのタッチが継続している間は、指がタッチしている第２の位置を検出し、当該第２の位置に対応する拡大キーボードを表示させる処理を繰り返す。これにより、指が移動すると、その指の移動にあわせて拡大キーボードに表示されるキーの組み合わせ、キーの位置も変化する。
【００３３】
主制御部１０は、ステップＳ２０でタッチが継続していない（Ｎｏ）と判定したら、ステップＳ２２として、拡大表示を消去する、つまり拡大キーボードの表示を停止する。その後、主制御部１０は、ステップＳ２２で拡大表示を消去したら、ステップＳ２４として、タッチ位置のキーを確定入力文字として表示する。つまり、主制御部２２は、ステップＳ２０でタッチが継続していないと判定する直前に検出していたタッチの位置（第２の位置）に割り当てられたキーを入力された文字として確定し、タッチパネル２の入力された文字を表示させる欄に表示する。
【００３４】
主制御部１０は、ステップＳ２４で入力された文字を確定したら、ステップＳ２６として文字入力を終了するかを判定する。なお、主制御部１０は、文字列の確定処理や、文字入力を終了する操作が入力された場合、文字入力を終了すると判定する。主制御部１０は、ステップＳ２６で文字入力を終了しない（Ｎｏ）、つまり文字入力を継続すると判定したら、ステップＳ１２に進む。このように主制御部１０は、文字入力を終了するまで、ステップＳ１２からステップＳ２６の処理を繰り返す。主制御部１０は、ステップＳ２６で文字入力を終了する（Ｙｅｓ）と判定したら、本処理を終了する。
【００３５】
携帯電話端末１は、以上のように、所定の操作が入力された場合、つまり第１領域の第１の位置で接触が開始され、第２の位置に接触が移動する接触がタッチパネル２によって検出された場合、仮想キーボードを割り当てた領域とは異なる領域、つまり、指がタッチしている領域とは異なる領域に、当該指がタッチしている位置（第２の位置）に対応する複数のキーの画像を表示させることで、指で隠れて見えない接触位置のキーの配列を簡単に知ることができる。これにより、利用者は、キーの配列を好適に知ることができ迅速に文字入力を行うことができる。また、隠れている領域のキーの配列を知ることができるため誤入力の発生を抑制することができる。
【００３６】
また、本実施形態のように、第２領域３０にマーク３２を表示することで、利用者は、指がどのキーに接触しているかを容易に知ることができる。また、第２の位置が所望のキーに接触していない場合は、マーク３２と所望のキーとが重なるように指を移動させることで所望のキーを入力することができる。これにより、所望のキーをより適切に入力することができ、誤入力の発生を抑制することができる。
【００３７】
また、携帯電話端末１は、第２の位置が移動した場合、その移動にあわせて第２領域３０に表示させる画像を変化させることで、具体的には第２の位置に対応するキーが第２領域３０の画像の中心となるように第２の位置の移動にあわせて表示させるキーを変化させることで、第２の位置の周囲に割り当てられているキーの構成を容易に知ることができる。これにより、所望のキーを簡単に捜すことができる。
【００３８】
なお、上記実施形態の携帯電話端末１は、第２領域３０に表示させる画像を第２の位置を中心として仮想キーボードの一部を拡大した画像としたが、これに限定されない。携帯電話端末１は、第２の位置が移動しても第２領域３０に表示させる拡大キーボードを変化させないようにしてもよい。なお、この場合、携帯電話端末１は、第２の位置の移動に基づいて、マークの位置を移動させることが好ましい。このように拡大キーボードの画像を固定し、マークを移動させても、第２の位置がどのキーが割り当てられた領域にあるかを判定することができる。
【００３９】
また、この場合第１の位置を中心として所定距離離間した位置に仮想キーボード以外のキーを割り当て、第２領域の対応する領域に当該仮想キーボード以外のキーを表示させるようにしてもよい。このように、第２領域の画像の表示を固定し、かつ、第１領域の第１の位置を中心として所定距離離間した位置に仮想キーボード以外のキーを割り当てることで、ユーザは、仮想キーボードのキー以外のキーの入力が可能となる。これにより、たとえは文字変換キーや、タブキー等のキーを入力するために指を大きく移動させる必要がなくなる。また、簡単な指の移動で当該操作を入力することができる。
【００４０】
また、上記実施形態の携帯電話端末１は、第２の位置に対応する画像として、第２の位置に割り当てられたキーと当該キーの周囲のキーを表示させたがこれに限定されない。携帯電話端末１は、第２の位置に対応する複数のキーを拡大した拡大画像を表示させればよい。つまり、当該キーに関連したキーであれば拡大表示させるキーの構成は限定されない。例えば上述のように、当該キーで入力した文字を変換するためのキーや、当該キーに似た文字を入力するためのキーを表示させてもよい。
【００４１】
なお、上記実施形態の携帯電話端末１では、タッチパネル２への表示を簡単にできるため、第１領域に仮想キーボードの画像を何も表示させなかったがこれに限定されない。図８および図９は、それぞれ文字入力の他の操作例を示す図である。なお、図８および図９は、第１領域４０に表示させる画像が上述した図３および図４の第１領域４に表示させる画像と異なる点を除いて、他の点は、図３及び図４と同様である。
【００４２】
携帯電話端末１は、文字入力機能が起動されると、文字入力用の画面を表示させ、第１領域４０に仮想キーボードを対応付ける。また携帯電話端末１は、第１領域４０に仮想キーボードを構成する各キーの位置を、つまりキーの配列を示す点を各キーに対して１つ表示させる。
【００４３】
図８に示すように、利用者が指Ｆで第１領域４に接触すると、携帯電話端末１は、タッチパネル２で指Ｆの接触を第１の位置への接触として検出する。その後、利用者が指Ｆを接触させたまま接触位置を移動させると、携帯電話端末１は、タッチパネル２で接触位置が移動した指Ｆの接触を第２の位置への接触として検出する。携帯電話端末１は、タッチパネル２で第２の位置への接触を検出した場合、図９に示すように、第２の位置に対応付けられた仮想キーボードのキーと当該キーの周囲のキーとの画像、つまり第２の位置を中心とした一定範囲の仮想キーボードの画像を、拡大した拡大画像（拡大キーボード）を第１領域４０とは異なる第２領域３０に表示させる。また、携帯電話端末１は、第２領域３０の画像に、第２の位置に対応する位置を示すマーク３２を表示させる。
【００４４】
携帯電話端末１は、このように、第１領域４０にキーボードの配列を示す点を表示させることで、キーの配列を利用者に認識させやすくすることができる。
【００４５】
また、図８および図９では、タッチパネル２の第１領域４０に仮想キーボードのキーの位置を点で表示させた画像を表示させたが、仮想キーボードの画像を第１領域にそのまま表示させても、半透明で表示させてもよい。
【００４６】
また、上記実施形態では、キーボードの場合として説明したが、各種操作の入力に用いることができる。つまり、第１領域で接触を検出したら、第２領域に当該領域に割り当てている操作を拡大して表示させるようにしてもよい。また、本実施形態では、タッチパネル２が１つの場合、つまり一画面の場合として説明したが、タッチパネルを２枚備える構成、つまり二画面の場合も同様に用いることができる。なお、この場合、第１領域と第２領域とは異なる画面とすることが好ましい。
【符号の説明】
【００４７】
１  携帯電話端末
２  タッチパネル
２Ａ  タッチセンサ
２Ｂ  表示部
３  入力部
３Ａ、３Ｂ、３Ｃ  ボタン
４  第１領域
５  電源部
６  通信部
７  スピーカ
８  マイク
９  記憶部
９Ａ  メールプログラム
９Ｂ  ブラウザプログラム
９Ｃ  文字編集プログラム
９Ｄ  仮想キーボードデータ
９Ｅ  辞書データ
１０  主制御部
１１  ＲＡＭ
３０  第２領域
３２  マーク
【図１】
2012208614.tif 000003
【図２】
2012208614.tif 000004
【図３】
2012208614.tif 000005
【図４】
2012208614.tif 000006
【図５】
2012208614.tif 000007
【図６】
2012208614.tif 000008
【図７】
2012208614.tif 000009
【図８】
2012208614.tif 000010
【図９】
2012208614.tif 000011